(57)【要約】【課題】ガスタービン１を支持する前部サポート１０とギヤ４との間が狭い場所でも、容易に新たなキー溝７が形成できるようにする。【解決手段】コントロールリング３に固定される固定アーム２４と、該固定アーム２４に固定されるベース及び、ドリル２１が取付けられると共に、ベースに対してキー溝７の溝方向に動得るように設けられたテーブル２６を具備するスライドテーブル２５とによりギヤ４交換支援装置を構成する。これによりドリル２１の先端に取付けられたドリル刃等の旋削工具３１で新たなキー溝７が形成できるようにする。【選択図】　　　　図１
2004076648.tif 000002
【特許請求の範囲】
【請求項１】
前部サポートにより支持されたケーシングを取巻くように設けられた環状のコントロールリングに複数のギヤが歯合し、各ギヤにそれぞれキーを介して入口可変静翼が係合して、前記コントロールリングの回動に応じて当該入口可変翼の翼角度が変化することにより流入する空気流量を調整するガスタービンにおける保守点検時等に、前記ギヤと入口可変静翼との係合位置を変えるべく、これらを係合している前記キーのキー溝を新たに形成するのに用いるガスタービンのギヤ交換支援装置において、
先端に取付けられたドリル刃やリーマが、前記ギヤ及び該ギヤが挿入されている前記入口可変静翼を同時加工して新たな前記キー溝を形成するドリルと、
該ドリルを固定するドリル固定具とを有することを特徴とするガスタービンのギヤ交換支援装置。
【請求項２】
前記ドリル固定具が、前記ガスタービンの構成機器に固定される固定アームと、
該固定アームに固定されるベース及び、前記ドリルが取付けられると共に、前記ベースに対して前記キー溝の溝方向に動得るように設けられたテーブルを具備するスライドテーブルであることを特徴とする請求項１記載のガスタービンのギヤ交換支援装置。
【請求項３】
前記ドリルと前記ドリル固定具とが、取外可能に設けられていることを特徴とする請求項１又は２記載のガスタービンのギヤ交換支援装置。
【請求項４】
前記固定アームが、前記コントロールリングに固定されることを特徴とする請求項２又は３記載のガスタービンのギヤ交換支援装置。
【発明の詳細な説明】
【０００１】
【発明の属する技術分野】
本発明は、ガスタービンの入口可変静翼（ＩＧＶ）とその翼角度を変えるためのギヤとをキーにより係合させる際に、狭い場所でも新たなキー溝が形成できるようにしたガスタービンのギヤ交換支援装置に関する。
【０００２】
【従来の技術】
ガスタービンにおいては、図３〜図５に示すように、前部サポート１０等により支持されたケーシング１１内に静翼１２と該静翼１２に対して回転する動翼１３が設けられ、当該動翼１３はロータ２に連結されて回転動力が取出せるようになっている。
【０００３】
なお、図３は、かかるガスタービン１の入口部分をロータ２に平行な面で破断（図３では上半分が破断されている）した部分破断図であり、図４はロータ２に垂直な面でのコントロールリング３を含む概略的な断面構造を示す図である。
【０００４】
また、図５は図４におけるＡ領域の位置する入口可変静翼１２の可動機構を示すロータ２に平行な面での拡大図である。
【０００５】
このようなガスタービン１の入口に設けられている入口可変静翼１２は、油圧アクチュエータ、コントロールリング３、ギヤ４等により角度調整が行えるようになっており、その翼角度に応じて当該ガスタービン１に入る空気流量が調節される。
【０００６】
これらの図に示すように、入口可変静翼１２はケーシング１１の周方向に複数設けられ、各入口可変静翼１２の取付部は当該ケーシング１１を貫通し、その先端にギヤ４がキー５やピン（以下、単にキーという）により係合されている。
【０００７】
そして、このギヤ４にはコントロールリング３が歯合し、油圧アクチュエータが動作してコントロールリング３が回転することによりギヤ４が回転して、入口可変静翼１２の翼角度が変えられるようになっている。
【０００８】
このようなギヤ４等は定検毎に点検され、摩耗量が許容値を超えている場合には、キー５による係合を解除してコントロールリング３との歯合位置を変えたり、新品と交換したりすることが行われる。
【０００９】
なお、コントロールリング３との歯合位置の変更等においては、キー５による係合を行うための新たなキー溝を形成する必要があり、かかる溝開加工はドリルやリーマを用いて行われる。
【００１０】
そして、新たなキー溝にキー５を挿嵌し、カシメることにより抜けないようにして強固の係合させている。
【００１１】
【発明が解決しようとする課題】
しかしながら、新たなキー溝の溝開けはガスタービン１が据付けられた状態で行われるため、前部サポート１０に近接して設けられている入口可変静翼１２のギヤ４と当該前部サポート１０との間が狭く、ドリル等の工具を用いるスペース確保が困難で新たなキー溝を形成することができないことがあった。
【００１２】
無論、このような場合には、前部サポート１０を取外すことによりかかるギヤ４に対しても新たなキー溝の形成を行うことができるが、この場合には前部サポート１０の取外、取付作業が増えて工数増加による定検費用が大幅増加が新たな問題となる。
【００１３】
そこで、本発明は、ガスタービンを支持する前部サポートとギヤとの間が狭い場所でも、容易に新たなキー溝が形成できるガスタービンのギヤ交換支援装置を提供することを目的とする。
【００１４】
【課題を解決するための手段】
上記課題を解決するため、請求項１にかかる発明は、前部サポートにより支持されたケーシングを取巻くように設けられら環状のコントロールリングに複数のギヤが歯合し、各ギヤにそれぞれキーを介して入口可変静翼が係合して、コントロールリングの回動に応じて当該入口可変翼の翼角度が変化することにより流入する空気流量を調整するガスタービンにおける保守点検時等に、ギヤと入口可変静翼との係合位置を変えるべく、これらを係合しているキーのキー溝を新たに形成するのに用いるガスタービンのギヤ交換支援装置において、先端に取付けられたドリル刃やリーマが、ギヤ及び該ギヤが挿入されている入口可変静翼を同時加工して新たなキー溝を形成するドリルと、該ドリルを固定するドリル固定具とを有することを特徴とする。
【００１５】
これにより、ドリルを作業者が把持して新たなキー溝の形成を行う必要が無くなるので、入口可変静翼のギヤと前部サポートとの間が狭いような場所でも容易に新たなキー溝が形成できるようになる。
【００１６】
請求項２にかかる発明は、ドリル固定具が、ガスタービンの構成機器に固定される固定アームと、該固定アームに固定されるベース及び、ドリルが取付けられると共に、ベースに対してキー溝の溝方向に動得るように設けられたテーブルを具備するスライドテーブルであることを特徴とする。
【００１７】
これにより、簡単な構成で、ドリルを作業者が把持して新たなキー溝の形成を行う必要が無くなり、入口可変静翼のギヤと前部サポートとの間が狭いような場所でも容易に新たなキー溝が形成できるようになる。
【００１８】
請求項３にかかる発明は、ドリルとドリル固定具とが、取外可能に設けられていることを特徴とする。
【００１９】
これにより、入口可変静翼のギヤと前部サポートとの間の隙間の大きさに適合するサイズのドリルを用いることが可能になり、当該隙間が狭い場所でも容易に新たなキー溝が形成できるようになる。
【００２０】
請求項４にかかる発明は、固定アームが、コントロールリングに固定されることを特徴とする。
【００２１】
これにより、ドリル固定具の固定が容易に行えるようになり、入口可変静翼のギヤと前部サポートとの間が狭いような場所でも容易に新たなキー溝が形成できるようになる。
【００２２】
【発明の実施の形態】
本発明の実施の形態を図を参照して説明する。なお、ガスタービンの構成は従来と変らないので、同一構成に関しては同一符号を用いて説明を省略する。
【００２３】
図１は、入口可変静翼１２とギヤ４とに新たなキー溝７を開ける際に用いる本発明にかかるギヤ交換支援装置２０をガスタービンに取付けた時の様子を示す、入口可変静翼１２の長手方向に沿った断面図であり、図２はその上面図である。
【００２４】
当該ギヤ交換支援装置２０は、ドリル２１と当該ドリル２１を固定するドリル固定具２２とにより構成され、ドリル２１は脱着可能に設けられている。
【００２５】
このようにドリル２１を取外可能に設けたのは、入口可変静翼１２のギヤ４と前部サポート１０との隙間に対応して大きさの異なるドリル２１を用いることが出きるようにするためであり、また当該ドリル２１として汎用のドリルを利用できるようにするため等の理由からである。
【００２６】
ドリル固定具２２は、ガスタービン１を構成するケーシング１１、前部サポート１０、コントロールリング３等の構成機器に固定可能であるが、新たなキー溝を形成する近傍に固定することが好ましいことは明らかである。以下の説明においては、コントロールリング３に固定する場合について説明する。
【００２７】
当該ドリル固定具２２は、コントロールリング３等に固定される固定アーム２４、該固定アーム２４に固定されてテーブル２６が上下に摺動するスライドテーブル２５により構成されている。
【００２８】
固定アーム２４は、コントロールリング３に嵌合するＣ型のクランプ部２８を備えて、その顎部分２９がコントロールリング３の凸部３２に係合するようになっている。
【００２９】
そして、ボルト３０を締め付けることにより顎部分２９が凸部３２に係合した状態で固定される。
【００３０】
スライドテーブル２５は、ベース２７と、該ベース２７に対して嵌合して摺動するテーブル２６とを備え、ベース２７が図示しないボルトにより固定アーム２４に固定される。
【００３１】
テーブル２６は、手動により図１において上下方向に動くように設けられ、当該テーブル２６にドリル２１が取付けられている。
【００３２】
このドリル２１は、小型のポータブルなドリル２１で、ドリル刃やリーマ等の旋削工具３１が脱着可能に取付けられるようになっている。
【００３３】
このような構成で、入口可変静翼１２とギヤ４とに新たなキー溝７を開ける際には、該当するギヤ４の位置に近接するコントロールリング３の凸部３２に固定アーム２４の顎部分２９を係合させボルト３０で固定する。
【００３４】
次に、スライドテーブル２５を固定アーム２４に固定する。その際、旋削工具３１が新たに形成するキー溝７の位置に一致するように位置合わせ（図１では、水平方向の位置合わせする）して固定する。
【００３５】
そして、テーブル２６をギヤ４の方向に移動させて、旋削工具３１により新たなキー溝７を形成する。
【００３６】
このような構成により、ガスタービン１を支持する前部サポート１０と入口可変静翼１２のギヤ４との間が狭い場所でも、作業者がドリルを把持して旋削作業を行うことなく新たなキー溝７を容易、かつ、少ない工数で形成できるようになる。
【００３７】
従って、作業効率が向上すると共のに作業コストの低減が可能になる。
【００３８】
【発明の効果】
以上説明したように、本発明によれば、入口可変静翼とギヤとを係合させるキー溝が容易に形成できるようになるので、作業効率が向上すると共のに作業コストの低減が可能になる。
【図面の簡単な説明】
【図１】本発明にかかるギヤ交換支援装置をガスタービンに取付けた際の様子を示す断面図である。
【図２】図１の上から見た図である。
【図３】従来の技術の説明に適用されるガスタービンにおける入口可変静翼の位置関係を示す部分断面図である。
【図４】コントロールリングと前部サポートの位置関係を示す図である。
【図５】ギヤと入口可変翼との関係を示す図である。
【符号の説明】
１　ガスタービン
３　コントロールリング
４　ギヤ
５　キー
７　キー溝
１０　前部サポート
１１　ケーシング
１２　入口可変静翼
２０　ギヤ交換支援装置
２１　ドリル
２２　ドリル固定具
２４　固定アーム
２５　スライドテーブル
２６　テーブル
２７　ベース
２８　クランプ部
２９　顎部分
３０　ボルト
３１　旋削工具
３２　凸部
【図１】
2004076648.tif 000003
【図２】
2004076648.tif 000004
【図３】
2004076648.tif 000005
【図４】
2004076648.tif 000006
【図５】
2004076648.tif 000007